(57)【要約】      （修正有）【課題】所定の順序でステップ配信されるコンテンツのアクセス権を、ユーザ毎に簡便に設定できるようにする。【解決手段】コンテンツ提供サーバ２００は、メッセージ送信履歴データベース３００を参照することで、ユーザ端末１０ａ、１０ｂ毎に、送信したメッセージの履歴と対応したコンテンツのみの提供を可能とするとともに、予め所定の順序でステップ配信を行うことが予定されたコンテンツに関しては、その各タイミングにおいて対応するメッセージを送信することのみで、アクセス権を適切に設定する。【選択図】図１
2014219823.tif 000002
【特許請求の範囲】
【請求項１】
ユーザのメッセージ送信先を記憶させたメッセージ送信先データベースと、前記メッセージ送信先へ送信したメッセージの送信履歴を記憶させるメッセージ送信履歴データベースを備え、前記ユーザに対してコンテンツの提供を行うコンテンツ提供サーバであって、
前記メッセージ送信先データベースに記憶されたメッセージ送信先に対してメッセージを送信するメッセージ送信手段と、
前記送信したメッセージを、前記メッセージ送信履歴データベースに記憶させるメッセージ履歴記憶手段と、
前記ユーザごとに、前記送信したメッセージを、前記メッセージ送信履歴データベースから抽出するメッセージ履歴抽出手段と、
前記抽出したメッセージに基づいて、前記コンテンツが前記ユーザに提供可能であるかを決定するアクセス権設定手段と、
を備えるコンテンツ提供サーバ。
【請求項２】
メッセージとコンテンツが一対一で関連付けられて記憶されたコンテンツ情報データベースを備え、
前記アクセス権設定手段とは、前記コンテンツ情報データベースにおいて、前記コンテンツに関連付けられて記憶されたメッセージが、前記抽出したメッセージに含まれているか否かによって、前記ユーザに前記コンテンツを提供することが可能であるかを決定する、請求項１に記載のコンテンツ提供サーバ。
【請求項３】
前記メッセージ送信手段は、前記ユーザごとに、所定の順番で所定の間隔において送信することが予め定められた所定の二以上のメッセージを送信する、請求項１又は２のいずれか一項に記載のコンテンツ提供サーバ。
【請求項４】
ユーザのメッセージ送信先を記憶させたメッセージ送信先データベースと、前記メッセージ送信先へ送信したメッセージの送信履歴を記憶させるメッセージ送信履歴データベースを備え、前記ユーザに対してコンテンツの提供を行うコンテンツ提供サーバが実行するコンテンツ提供方法であって、
前記メッセージ送信先データベースに記憶されたメッセージ送信先に対してメッセージを送信するステップと、
前記送信したメッセージを、前記メッセージ送信履歴データベースに記憶させるステップと、
前記ユーザごとに、前記送信したメッセージを、前記メッセージ送信履歴データベースから抽出するステップと、
前記抽出したメッセージに基づいて、前記コンテンツが前記ユーザに提供可能であるかを決定するステップと、
を備えるコンテンツ提供方法。
【請求項５】
ユーザのメッセージ送信先を記憶させたメッセージ送信先データベースと、前記メッセージ送信先へ送信したメッセージの送信履歴を記憶させるメッセージ送信履歴データベースを備え、前記ユーザに対してコンテンツの提供を行うコンテンツ提供サーバに、
前記メッセージ送信先データベースに記憶されたメッセージ送信先に対してメッセージを送信するステップ、
前記送信したメッセージを、前記メッセージ送信履歴データベースに記憶させるステップ、
前記ユーザごとに、前記送信したメッセージを、前記メッセージ送信履歴データベースから抽出するステップ、
前記抽出したメッセージに基づいて、前記コンテンツが前記ユーザに提供可能であるかを決定するステップ、
を実行させるコンテンツ提供サーバ用プログラム。
【発明の詳細な説明】
【技術分野】
【０００１】
本発明は、ユーザにコンテンツを提供するコンテンツ提供サーバ、コンテンツ提供方法、及びコンテンツ提供サーバ用プログラムに関する。
【背景技術】
【０００２】
近年、公衆回線網に接続されたユーザ端末をＷｅｂサーバ等と接続することで、ユーザに様々なサービスが提供されている。その中で、ユーザ端末上で再生が可能な電子コンテンツを、公衆回線網を介して提供することが盛んに行われている。
【０００３】
そのようなコンテンツの提供においては、提供に際してユーザに対価を要求するほか、複数のコンテンツを所定の順序で提供することが望ましいといった事情で、ユーザ毎にコンテンツの提供の可否を決定することが必要な場合がある。
【０００４】
このような課題に対して、電子コンテンツを陳列棚に見立て、個人図書館を生成することで、ユーザの利便性を高めつつ、電子コンテンツデータの流通を促進することが可能な電子コンテンツ陳列棚共有システム及び電子コンテンツ流通支援システムが開示されている。
【先行技術文献】
【特許文献】
【０００５】
【特許文献１】特開２０１３−２５４９４号公報
【発明の概要】
【発明が解決しようとする課題】
【０００６】
しかしながら、特許文献１に記載の手法では、各コンテンツへのアクセス権や対価の設定を簡便に行える一方で、各利用者の利用日時に依拠するコンテンツ同士の利用制限について、既存のコンテンツを所定の順番で順次提供する場合には、ユーザとコンテンツ毎に個別の設定を行うなど例外的な処理を行う必要がある。
【０００７】
そこで、本発明の発明者は、各ユーザに対して送信したメッセージの履歴を抽出し、対応したコンテンツのみの提供を可能とするとともに、予め所定の順序でステップ配信を行うことが予定されたコンテンツに関しては、その各タイミングにおいて対応するメッセージを送信するだけで、各コンテンツに対するアクセス権が適切に設定できることに着目した。
【０００８】
本発明は、これらの課題に鑑み、ユーザ毎に、送信したメッセージの履歴と対応したコンテンツのみの提供を可能とするとともに、予め所定の順序でステップ配信を行うことが予定されたコンテンツに関しては、その各タイミングにおいて対応するメッセージを送信することのみで、アクセス権を適切に設定するコンテンツ提供サーバ、コンテンツ提供方法、及びコンテンツ提供サーバ用プログラムを提供することを目的とする。
【課題を解決するための手段】
【０００９】
本発明では、以下のような解決手段を提供する。
【００１０】
第１の特徴に係る発明は、ユーザのメッセージ送信先を記憶させたメッセージ送信先データベースと、前記メッセージ送信先へ送信したメッセージの送信履歴を記憶させるメッセージ送信履歴データベースを備え、前記ユーザに対してコンテンツの提供を行うコンテンツ提供サーバであって、
前記メッセージ送信先データベースに記憶されたメッセージ送信先に対してメッセージを送信するメッセージ送信手段と、
前記送信したメッセージを、前記メッセージ送信履歴データベースに記憶させるメッセージ履歴記憶手段と、
前記ユーザごとに、前記送信したメッセージを、前記メッセージ送信履歴データベースから抽出するメッセージ履歴抽出手段と、
前記抽出したメッセージに基づいて、前記コンテンツが前記ユーザに提供可能であるかを決定するアクセス権設定手段と、
を備えるコンテンツ提供サーバを提供する。
【００１１】
第１の特徴に係る発明によれば、ユーザのメッセージ送信先を記憶させたメッセージ送信先データベースと、前記メッセージ送信先へ送信したメッセージの送信履歴を記憶させるメッセージ送信履歴データベースを備え、前記ユーザに対してコンテンツの提供を行うコンテンツ提供サーバは、前記メッセージ送信先データベースに記憶されたメッセージ送信先に対してメッセージを送信し、前記送信したメッセージを、前記メッセージ送信履歴データベースに記憶させ、前記ユーザごとに、前記送信したメッセージを、前記メッセージ送信履歴データベースから抽出し、前記抽出したメッセージに基づいて、前記コンテンツが前記ユーザに提供可能であるかを決定する。
【００１２】
第１の特徴に係る発明は、コンテンツ提供サーバのカテゴリであるが、コンテンツ提供方法及び、コンテンツ提供サーバ用プログラムにおいてもそのカテゴリに応じた同様の作用、効果を奏する。
【００１３】
第２の特徴に係る発明は、メッセージとコンテンツが一対一で関連付けられて記憶されたコンテンツ情報データベースを備え、
前記アクセス権設定手段とは、前記コンテンツ情報データベースにおいて、前記コンテンツに関連付けられて記憶されたメッセージが、前記抽出したメッセージに含まれているか否かによって、前記ユーザに前記コンテンツを提供することが可能であるかを決定する、第１の特徴に係る発明であるコンテンツ提供サーバを提供する。
【００１４】
第２の特徴に係る発明によれば、第１の特徴に係る発明であるコンテンツ提供サーバは、メッセージとコンテンツが一対一で関連付けられて記憶されたコンテンツ情報データベースを備え、前記コンテンツ情報データベースにおいて、前記コンテンツに関連付けられて記憶されたメッセージが、前記抽出したメッセージに含まれているか否かによって、前記ユーザに前記コンテンツを提供することが可能であるかを決定する。
【００１５】
第３の特徴に係る発明は、前記メッセージ送信手段は、前記ユーザごとに、所定の順番で所定の間隔において送信することが予め定められた所定の二以上のメッセージを送信する、第１又は第２のいずれかの特徴に係る発明であるコンテンツ提供サーバを提供する。
【００１６】
第３の特徴に係る発明によれば、第１又は第２のいずれかの特徴に係る発明であるコンテンツ提供サーバは、前記ユーザごとに、所定の順番で所定の間隔において送信することが予め定められた所定の二以上のメッセージを送信する。
【００１７】
第４の特徴に係る発明は、ユーザのメッセージ送信先を記憶させたメッセージ送信先データベースと、前記メッセージ送信先へ送信したメッセージの送信履歴を記憶させるメッセージ送信履歴データベースを備え、前記ユーザに対してコンテンツの提供を行うコンテンツ提供サーバが実行するコンテンツ提供方法であって、
前記メッセージ送信先データベースに記憶されたメッセージ送信先に対してメッセージを送信するステップと、
前記送信したメッセージを、前記メッセージ送信履歴データベースに記憶させるステップと、
前記ユーザごとに、前記送信したメッセージを、前記メッセージ送信履歴データベースから抽出するステップと、
前記抽出したメッセージに基づいて、前記コンテンツが前記ユーザに提供可能であるかを決定するステップと、
を備えるコンテンツ提供方法を提供する。
【００１８】
第５の特徴に係る発明は、ユーザのメッセージ送信先を記憶させたメッセージ送信先データベースと、前記メッセージ送信先へ送信したメッセージの送信履歴を記憶させるメッセージ送信履歴データベースを備え、前記ユーザに対してコンテンツの提供を行うコンテンツ提供サーバに、
前記メッセージ送信先データベースに記憶されたメッセージ送信先に対してメッセージを送信するステップ、
前記送信したメッセージを、前記メッセージ送信履歴データベースに記憶させるステップ、
前記ユーザごとに、前記送信したメッセージを、前記メッセージ送信履歴データベースから抽出するステップ、
前記抽出したメッセージに基づいて、前記コンテンツが前記ユーザに提供可能であるかを決定するステップ、
を実行させるコンテンツ提供サーバ用プログラムを提供する。
【発明の効果】
【００１９】
本発明によれば、ユーザ毎に、ユーザに送信したメッセージの履歴と対応したコンテンツのみの提供を可能とするとともに、予め所定の順序でステップ配信を行うことが予定されたコンテンツに関しては、その各タイミングにおいて対応するメッセージを送信することのみで、アクセス権を適切に設定するコンテンツ提供サーバ、コンテンツ提供方法、及びコンテンツ提供サーバ用プログラムを提供することが可能となる。
【図面の簡単な説明】
【００２０】
【図１】図１は、コンテンツ提供システム１の概要を説明するための概要図である。
【図２】図２は、コンテンツ提供システム１の全体構成図である。
【図３】図３は、ユーザ端末１０、コンテンツ提供サーバ２００の機能ブロック図である。
【図４】図４は、ユーザ端末１０、コンテンツ提供サーバ２００が実行するメッセージ送信処理を示すフローチャート図である。
【図５】図５は、ユーザ端末１０、コンテンツ提供サーバ２００が実行するコンテンツ提供処理を示すフローチャート図である。
【図６】図６は、コンテンツを受信したユーザ端末１０の画面の一例である。
【図７】図７は、メッセージ送信履歴データベース３００に記憶された内容の一例である。
【図８】図８は、コンテンツ情報データベース３５０に記憶された内容の一例である。
【発明を実施するための形態】
【００２１】
以下、本発明を実施するための最良の形態について図を参照しながら説明する。なお、これはあくまでも一例であって、本発明の技術的範囲はこれに限られるものではない。
【００２２】
［コンテンツ提供システム１の概要］
図１は、本発明の好適な実施形態であるコンテンツ提供システム１の概要を説明するための概要図である。コンテンツ提供システム１は、ユーザ端末１０ａ、ｂ（以下、明示しない限りは単に「１０」とする）、及びコンテンツ提供サーバ２００から構成される。コンテンツ提供サーバ２００は記憶部に、メッセージ送信先データベース２５０、メッセージ送信履歴データベース３００、コンテンツ情報データベース３５０を備える。
【００２３】
コンテンツ提供サーバ２００は、各ユーザ端末に送信したメッセージ履歴を抽出し、それに応じて各コンテンツをユーザに提供できるかを判断する。そのため、コンテンツ提供サーバ２００の行う処理は、メッセージの送信とコンテンツの提供の大きく二つに分かれる。
【００２４】
そこで、初めにコンテンツ提供サーバ２００は、記憶部に備えるメッセージ送信先データベース２５０から、メッセージ送信先を読み込む（ステップＳ０１）。メッセージ送信先は、ユーザ端末１０にメッセージを送信するのに必要な情報である。メッセージ送信先は、具体的にはメールアドレスであってもよいし、特定のメッセージングサービスにおけるユーザＩＤ等であってもよい。コンテンツ提供システム１自体がメッセージングサービスを備えていてもよい。
【００２５】
次に、コンテンツ提供サーバ２００は、読み込んだ送信先に対してメッセージを送信する（ステップＳ０２）。そして、送信したメッセージの送信先と、メッセージ内容とを記憶部に備えるメッセージ送信履歴データベース３００に記憶する（ステップＳ０３）。
【００２６】
以上がメッセージの送信に係る処理である。その後、ユーザ端末１０ｂからコンテンツの要求があった場合には、要求があったユーザ端末１０ｂと関連付けられたユーザＩＤを取得する。そして、メッセージ送信履歴データベース３００から、ユーザ端末１０ｂに対して送信したメッセージの送信履歴を抽出する（ステップＳ０４）。ここで、ユーザＩＤの取得には、ユーザ端末１０にログインを求め、入力させてもよいし、端末の固有ＩＤ等を用いてもよい。
【００２７】
そして、抽出したメッセージ履歴のメッセージ内容を参照し、ユーザ端末１０ｂに対して、要求されたコンテンツが提供可能かを判断し、可能である場合にはコンテンツを送信する（ステップＳ０５）。図１に示される例では、ユーザ端末１０ｂに対して「ゴルフ講座第二回」というメッセージを送信しておらず、「テニス講座第一回」というメッセージを送信しているため、前者のコンテンツは要求されても提供できず、後者のコンテンツを提供可能である。また、ユーザ端末１０ａに対しては、提供の可否が逆の関係にある。
【００２８】
以上が、コンテンツ提供システム１の概要である。
【００２９】
［コンテンツ提供システム１のシステム構成］
図２は、本発明の好適な実施形態であるコンテンツ提供システム１のシステム構成図である。コンテンツ提供システム１は、一以上のユーザ端末１０、公衆回線網３、及びコンテンツ提供サーバ２００から構成される。コンテンツ提供サーバ２００は記憶部に、メッセージ送信先データベース２５０、メッセージ送信履歴データベース３００、コンテンツ情報データベース３５０を備える。各ユーザ端末１０は、公衆回線網３を介して、コンテンツ提供サーバ２００と通信可能に接続されている。
【００３０】
ここでユーザ端末１０は、一般的な情報機器や電子機器であってよく、例えば、ユーザ端末１０は携帯電話、スマートフォン、テレビ、コンピュータに加えて、電話機、ネットブック端末、スレート端末、電子書籍端末、電子辞書端末、携帯型音楽プレーヤ、携帯型コンテンツ再生・録画プレーヤ等の一般的な情報家電であってよい。
【００３１】
コンテンツ提供サーバ２００は、後述の機能を有する一般的なサーバであってよい。
【００３２】
［各機能の説明］
図３は、ユーザ端末１０、及びコンテンツ提供サーバ２００の機能ブロックと各機能の関係を示す図である。
【００３３】
ユーザ端末１０は、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部１２として、例えば、ＩＥＥＥ８０２．１１に準拠したＷｉＦｉ（Ｗｉｒｅｌｅｓｓ  Ｆｉｄｅｌｉｔｙ対応デバイス又は、第３世代移動通信システム等のＩＭＴ−２０００規格に準拠した無線デバイス等を備える（有線によるＬＡＮ接続であってもよい）。
【００３４】
ユーザ端末１０において、制御部１１が所定のプログラムを読み込むことで、通信部１２と協働して、メッセージ受信モジュール１３、コンテンツ要求モジュール１４を実現する。
【００３５】
コンテンツ提供サーバ２００は、同様に、制御部２０１として、ＣＰＵ，ＲＡＭ，ＲＯＭ等を備え、通信部２０２として、例えば、ＩＥＥＥ８０２．１１に準拠したＷｉＦｉ対応デバイス又は、第３世代移動通信システム等のＩＭＴ−２０００規格に準拠した無線デバイス等を備える（有線によるＬＡＮ接続であってもよい）。加えて、コンテンツ提供サーバ２００は、記憶部２０３として、ハードディスクや半導体メモリによる、データのストレージ部を備える。コンテンツ提供サーバ２００は、メッセージ送信先データベース２５０、メッセージ送信履歴データベース３００、コンテンツ情報データベース３５０を、記憶部２０３に備える。
【００３６】
コンテンツ提供サーバ２００において、制御部２０１が所定のプログラムを読み込むことで、通信部２０２と協働して、メッセージ送信モジュール２０４、コンテンツ提供モジュール２０５を実現する。また、コンテンツ提供サーバ２００において、制御部２０１が所定のプログラムを読み込むことで、通信部２０２、及び入記憶部２０３と協働して、メッセージ履歴記憶モジュール２０６、メッセージ履歴抽出モジュール２０７、アクセス権設定モジュール２０８を実現する。
【００３７】
［メッセージ送信処理］
図４は、ユーザ端末１０、及びコンテンツ提供サーバ２００が実行するメッセージ送信処理のフローチャートである。上述した各装置のモジュールが行う処理について、本処理にて併せて説明する。
【００３８】
はじめに、コンテンツ提供サーバ２００はメッセージ内容と送信先端末の決定を行う（ステップＳ１１）。ここで、メッセージを送信するタイミングとしては、ユーザにコンテンツの提供を行えるタイミングを通知することが一般的だと考えられるが、これに限られない。例えば、週刊講座のように、連続して複数の文章や動画を定期的に配信する場合は、予め定められたメッセージが特定のユーザに対して送信されるようになっていてよい。
【００３９】
次に、コンテンツ提供サーバ２００は、メッセージ送信先データベース２５０から、決定した送信先端末に応じた送信先を読み込む（ステップＳ１２）。例えば送信先としては、具体的にはメールアドレスや、ＳＭＳにおいて宛先となる電話番号であってもよいし、特定のメッセージングサービスにおいて用いられるユーザＩＤであってもよい。
【００４０】
そして、コンテンツ提供サーバ２００のメッセージ送信モジュール２０４は、読み込んだ送信先に対してメッセージを送信する（ステップＳ１３）。送信先となるユーザ端末１０のメッセージ受信モジュール１３は、メッセージを受信する（ステップＳ１４）。
【００４１】
最後に、コンテンツ提供サーバ２００のメッセージ履歴記憶モジュール２０６は、メッセージ送信履歴データベース３００に送信したメッセージの情報を記憶させる（ステップＳ１５）。
【００４２】
図７は、メッセージ送信履歴データベース３００に記憶された内容の一例である。ここでは、送信先ユーザのユーザＩＤと、メッセージ内容とがメッセージ毎に記憶されている。ここで示された以外にも、送信日時や送信先情報等を関連付けて記憶させてよい。
【００４３】
以上が、メッセージ送信処理の手順である。
【００４４】
［コンテンツ提供処理］
図５は、ユーザ端末１０、及びコンテンツ提供サーバ２００が実行するコンテンツ提供処理のフローチャートである。上述した各装置のモジュールが行う処理について、本処理にて併せて説明する。
【００４５】
初めに、ユーザ端末１０のコンテンツ要求モジュール１４はコンテンツ提供サーバ２００に対してコンテンツを要求する（ステップＳ２１）。ここで、コンテンツとは、ユーザ端末１０上で再生可能な電子データをいう。コンテンツは、具体的には、文書、画像、音楽、動画や、それらの組み合わせに加えて、いわゆるテレビゲームのように、入力に応じて出力を返すインタラクティブ性を備えた電子データであってよい。
【００４６】
また、コンテンツの要求の具体例としては、インターネットブラウザを利用して会員ページにログインした後、ＨＴＭＬページに埋め込まれたタグ情報に基づいてリクエストを送信することや、ユーザ端末１０で動作するコンテンツ再生用のソフトウェアが読み込み先としてコンテンツ提供サーバ２００を指定する場合が挙げられる。ここで、コンテンツの要求は、ストリーミング再生の形式であっても構わない。
【００４７】
次に、要求を受け付けたコンテンツ提供サーバ２００のコンテンツ提供モジュール２０５は、要求を行ったユーザ端末１０のユーザＩＤを取得する（ステップＳ２２）。ユーザＩＤの取得方法は、例えばコンテンツの要求に際してユーザに会員ページへのログインを課している場合にはＣｏｏｋｉｅ情報を参照してよいし、端末の固有ＩＤを取得することで、ユーザＩＤとしてもよい。
【００４８】
次に、コンテンツ提供サーバ２００のメッセージ履歴抽出モジュール２０７は、メッセージ送信履歴データベース３００から、取得したユーザＩＤに対して送信したメッセージ履歴を抽出する（ステップＳ２３）。
【００４９】
次に、コンテンツ提供サーバ２００のアクセス権設定モジュール２０８は、抽出したメッセージ履歴を参照することで、ユーザ端末に対して要求するコンテンツが提供可能であるか否かを決定する（ステップＳ２４）。提供可能であるかの判断としては、例えば送信されたメッセージとコンテンツの関連度を調べる事で、所定の関連度以上のコンテンツを提供してもよい。また、予めコンテンツとメッセージとが一対一に対応付けられていてもよい。
【００５０】
図８は、コンテンツ情報データベース３５０に記憶された内容の一例である。各コンテンツＩＤと、コンテンツのファイル名とともに、関連付けられたメッセージ内容が記憶されている。コンテンツ情報データベース３５０は、メッセージ送信履歴データベース３００と組み合わせることで、各ユーザＩＤとコンテンツＩＤの組み合わせに対して、提供の可否を決定することが可能である。関連付けられたメッセージ内容は、このように全く一致していてもよいし、単語の列挙や、シソーラス上の意味概念で示されていてもよい。
【００５１】
ここで、コンテンツが提供可能である場合（ステップＳ２５：「ＹＥＳ」の場合）には、コンテンツ提供モジュール２０５がコンテンツを送信し（ステップＳ２６）、ユーザ端末１０がそれを受信する（ステップＳ２７）。一方、コンテンツが提供可能ではない場合（ステップＳ２５：「ＮＯ」の場合）には、コンテンツの送信を行わず、処理を終了する。
【００５２】
図６は、コンテンツを受信したユーザ端末１０の画面の一例である。画面上では、受信したコンテンツ６１を再生するとともに、その他のコンテンツ一覧６２が表示される。特に、メッセージ履歴に基づき提供可能であるコンテンツ６３と、提供できないコンテンツ６４が表示される。ユーザ毎にメッセージ送信履歴は異なるため、これらのコンテンツ６３、及び６４もまたユーザ毎に異なって表示される。
【００５３】
特に、コンテンツによっては、小説の様に時間的な連続性があったり、レッスンビデオの様に段階的な前後の関係があったりする場合がある。このように、予めユーザに対して所定の間隔において、所定の順番で提供することが決められている場合には、ユーザに対しメッセージを所定の間隔で送信することのみによって、ユーザに対するコンテンツに対する提供可否を効率的に管理することができる。
【００５４】
以上が、コンテンツ提供処理の手順である。
【００５５】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００５６】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５７】
１  コンテンツ提供システム、３  公衆回線網、１０  ユーザ端末、２００  コンテンツ提供サーバ、２５０  メッセージ送信先データベース、３００  メッセージ送信履歴データベース、３５０  コンテンツ情報データベース
【図１】
2014219823.tif 000003
【図２】
2014219823.tif 000004
【図３】
2014219823.tif 000005
【図４】
2014219823.tif 000006
【図５】
2014219823.tif 000007
【図６】
2014219823.tif 000008
【図７】
2014219823.tif 000009
【図８】
2014219823.tif 000010